(57)【要約】【課題】滅菌したバッテリ装置に未滅菌のバッテリを装填する際やバッテリを清潔域で充電する際に、滅菌済みの装置を汚染させることなく、バッテリ装置にバッテリを容易に装填、またはバッテリを容易に充電すること。【解決手段】バッテリ収容装置３７は、外部電極３９，４０を有する滅菌済みのピールパック３８を備え、このピールパック３８内に、未滅菌のバッテリ３４を収容し、外部電極３９，４０とバッテリ３４の電極を接触させてシールし、このピールパック３８をバッテリ装置３のバッテリ収容部３３内に収容することで、未滅菌のバッテリ３４を滅菌済みのバッテリ装置３に装填することを可能にする。【選択図】        図３
2006110192.tif 000002
【特許請求の範囲】
【請求項１】
電極部を有し、装置内部に収容されるバッテリ手段と、
前記バッテリ手段を滅菌可能に内装する内装手段と、
前記内装手段に設けられ、前記バッテリ手段の電極と接続可能な接点手段と、
を備えることを特徴とするバッテリ収容装置。
【請求項２】
前記内装手段は、滅菌された滅菌パックからなることを特徴とする請求項１に記載のバッテリ収容装置。
【請求項３】
電極部を有し、装置内部に収容されるバッテリ手段と、
前記バッテリ手段を滅菌可能に内装する内装手段と、
前記内装手段に設けられ、前記バッテリ手段の電極と接続可能な接点手段と、
を有するバッテリ収容装置と、
前記バッテリ収容装置を収容する収容部と、前記バッテリ手段から供給される電源により作動する機能実行手段と、を有するバッテリ装置と、
前記バッテリ装置が着脱可能に装着される内視鏡操作部と、
を備えることを特徴とする内視鏡装置。
【発明の詳細な説明】
【技術分野】
【０００１】
本発明は、１次電池または２次電池として使用されるバッテリ手段（以下、単に「バッテリ」という）を収容するバッテリ収容装置および内視鏡装置に関するものである。
【背景技術】
【０００２】
たとえば、従来の乾電池などのバッテリは、所定の装置に設けられた正極および負極の電極を備えたバッテリ収容ケースに収容されており、これら電極および電極に繋がる導電線などを介して電気的に接続された所定の機能を実行する機能実行手段としての負荷装置に電力を供給することで、この機能実行手段の駆動を可能にしている。
【０００３】
ところが、近年では、このような構成のバッテリを加圧蒸気状態の外部環境化に配置する状況が発生する場合が考えられる。このような状況としては、バッテリを、たとえば被検体に対する医療行為に使用する際に、滅菌を必要とする場合などが考えられる。このような場合には、一般的に用いられている、たとえばステンレス鋼などの金属やプラスチック材質のバッテリ収容ケースにバッテリを収容する構成では、外部からの蒸気がバッテリ内に侵入してしまって、金属部材に錆が発生し、摺動部の摺動力量が大きくなったり、電気的な接点部の導通抵抗が低くなってしまう虞があった。たとえば、機能実行装置として特許文献１に示す医療用の内視鏡装置においては、バッテリ収容ケースにバッテリを収容して、負荷装置であるランプとバッテリを電気的に接続させて、ランプに電力を供給するとともに、接続部、たとえばバッテリ収容ケースとランプ室ケースとの接続部などをＯリングでシールすることで水密に構成されている。
【０００４】
この内視鏡装置では、このランプからの出射光をライトガイドファイバなどに導光し、ライト部先端側の照明窓からこの導光された照明光を出射させて、被検者の被検部位である胃、大腸などの臓器の内部（体腔内）を照明し、その反射光を内視鏡装置に取り込むことで、医者もしくは看護士による観察を可能にしていた。
【０００５】
【特許文献１】特開平９−５６６７２号公報
【発明の開示】
【発明が解決しようとする課題】
【０００６】
しかしながら、現状の医療においては、たとえば高温度と圧力を加えた加圧水蒸気を生成し、この水蒸気によって、内視鏡装置を蒸気滅菌（オートクレーブ滅菌）してから、被検者に対して使用する状況が生じる場合がある。このオートクレーブ滅菌では、たとえば１３５℃に加熱され、かつ２．２気圧に加圧された加圧水蒸気で、内視鏡装置を２０分間加熱して滅菌するので、この２０分間の加熱の間に加圧水蒸気による熱がバッテリ収容ケースを介してバッテリに伝わり、バッテリに悪影響を与えて電池の性能を劣化させる場合がある。
【０００７】
そこで、従来では、内視鏡装置のバッテリ装置をオートクレーブ滅菌する際に、バッテリを内視鏡装置から取り外し、オートクレーブ滅菌終了後に、未滅菌状態のバッテリを清潔域物であるバッテリ収容装置に装填したり、充電したりする手順も考えられるが、この装填や充電時に未滅菌状態のバッテリが清潔域に触れてしまう場合があり、清潔域物が汚染されてしまう虞があった。
【０００８】
本発明は、上記問題に鑑みてなされたものであって、滅菌したバッテリ装置に未滅菌のバッテリを装填する際やバッテリを清潔域で充電する際に、滅菌済みの装置を汚染させることなく、バッテリ装置にバッテリを容易に装填、またはバッテリを容易に充電することができるバッテリ収容装置および内視鏡装置を提供することを目的とする。
【課題を解決するための手段】
【０００９】
上述した課題を解決し、目的を達成するために、本発明にかかるバッテリ収容装置は、電極部を有し、装置内部に収容されるバッテリ手段と、前記バッテリ手段を滅菌可能に内装する内装手段と、前記内装手段に設けられ、前記バッテリ手段の電極と接続可能な接点手段と、を備えることを特徴とする。
【００１０】
また、請求項２の発明にかかるバッテリ収容装置は、上記発明において、前記内装手段は、滅菌された滅菌パックからなることを特徴とする。
【００１１】
また、請求項３の発明にかかる内視鏡装置は、電極部を有し、装置内部に収容されるバッテリ手段と、前記バッテリ手段を滅菌可能に内装する内装手段と、前記内装手段に設けられ、前記バッテリ手段の電極と接続可能な接点手段と、を有するバッテリ収容装置と、前記バッテリ収容装置を収容する収容部と、前記バッテリ手段から供給される電源により作動する機能実行手段と、を有するバッテリ装置と、前記バッテリ装置が着脱可能に装着される内視鏡操作部と、を備えることを特徴とする。
【発明の効果】
【００１２】
本発明にかかるバッテリ収容装置は、滅菌した充電器で未滅菌のバッテリを充電する際に、たとえばバッテリを滅菌した滅菌パック内にパックして滅菌状態を維持し、前記滅菌パックに設けられた接点手段を介して充電器と接続させるので、バッテリを清潔域で充電する際に、滅菌済みの装置を汚染させることなく、バッテリを容易に充電することができるという効果を奏する。
【００１３】
本発明にかかる内視鏡装置は、たとえば滅菌パックに内装されるバッテリ手段を有するバッテリ収容装置と、前記バッテリ収容装置が収容されるバッテリ装置と、前記バッテリ装置を着脱可能に装着される内視鏡操作部と、を備え、未滅菌のバッテリ手段を滅菌パック内にパックした状態で、バッテリ装置に装填するので、滅菌したバッテリ装置に未滅菌のバッテリを装填する際に、滅菌済みの装置を汚染させることなく、バッテリ装置に未滅菌のバッテリを容易に装填することができるという効果を奏する。
【発明を実施するための最良の形態】
【００１４】
以下に、本発明にかかるバッテリ収容装置および内視鏡装置の実施の形態を図１〜図１６の図面に基づいて詳細に説明する。なお、本発明は、これらの実施の形態に限定されるものではなく、本発明の要旨を逸脱しない範囲で種々の変更実施の形態が可能である。
【００１５】
（実施の形態１）
図１は、本発明にかかるバッテリ装置を用いる携帯型内視鏡装置の構成の一例を示す斜視図である。図において、内視鏡装置１は、液体の漏れや透過を防ぐ水密構造の内視鏡２と、この内視鏡２に着脱自在に装着されて電気的に接続されるバッテリ装置３とで構成されている。また、この内視鏡２には、バッテリ装置３の代わりに、図示しないライトガイドケーブルを着脱自在に装着させることも可能である。
【００１６】
この内視鏡２は、一端に設けられた接眼部２１と、この接眼部２１が取り付けられる取り付け側に設けられた操作部２２と、この操作部２２の他端に設けられ、被検体内に挿入される細長の円筒形状の挿入部２３とを有する。この取り付け側の操作部２２の側面には、ライトガイド口金２２ａが突出して設けられており、バッテリ装置３の接続部３１が着脱自在に接続される。また、この操作部２２の側面には、異なる位置に、挿入部２３先端の湾曲動作の操作を行うための湾曲操作レバー２２ｂと、吸引操作を行うための吸引ボタン２２ｃとがそれぞれ突設されている。この吸引ボタン２２ｃの側面には、内視鏡２内に設けられた吸引チャンネル（図示せず）に連通する吸引口金２２ｄが突出しており、たとえばこの吸引口金２２ｄにチューブを取り付け、このチューブを介して所定の吸引装置に接続させ、上述した吸引ボタン２２ｃを適宜操作することで、挿入部２３、吸引チャンネルおよび吸引口金２２ｄを介して体腔内の液体などの吸引排出を行うことができる。
【００１７】
また、この操作部２２には、内視鏡２を保持して固定するために、医者などが把持する把持部２２ｅが設けられている。この操作部２２において、挿入部２３が取り付けられる取り付け側には、鉗子を挿入するための鉗子挿入口２２ｆが突設されており、この鉗子挿入口２２ｆは、通常鉗子栓２２ｇで閉塞されている。また、鉗子挿入口２２ｆの対向側には、たとえば通気口金２２ｈが設けられ、この通気口金２２ｈから内視鏡２内部に空気を送入することによって、内視鏡２の水漏れ検査を行うことが可能となる。
【００１８】
被検体内に挿入される挿入部２３は、先端に設けられた硬質の先端部２３ａと、操作部２２の操作によって湾曲動作を行う湾曲部２３ｂと、柔軟性を有する可撓管２３ｃとを備え、これらの部位は一列に連なるように構成されている。
【００１９】
挿入部２３内には、バッテリ装置３のランプから出射された照明光を導くためのライトガイドファイバ（図示せず）が内装されている。このライトガイドファイバの一端は、操作部２２内部で屈曲され、ライトガイド口金２２ａ内に固定されている。また、このライトガイドファイバの他端は、挿入部２３の先端に設けられた照明窓２３ｄに固定されている。したがって、内視鏡装置１は、バッテリ装置３から出射された照明光を、ライトガイド口金２２ａからライトガイドファイバを通って、照明窓２３ｄから外部に照射でき、これにより挿入された被検体の体腔内を照明することが可能となる。また、ライトガイド口金２２ａの外周面には、接続用の雄ネジ部２２ｉが設けられている。
【００２０】
図２は、図１に示した操作部２２とバッテリ装置３の接続部３１の外観を説明するための図である。この図において、バッテリ装置３の接続部３１は、外周面に設けられた接続環３１ａを有し、接続環３１ａは、内周面に形成されている雌ネジ部３１ｂと、雌ネジ部３１ｂの外周面を被覆するネジカバー３１ｃとを備えている。この接続環３１ａは、円筒形状の接続口金３１ｄの外周面を囲繞するように設けられ、かつ接続口金３１ｄの長手方向の移動が一定の範囲で移動可能なように規制された状態で、この接続口金３１ｄに取り付けられている。そして、この雌ネジ部３１ｂが、ライトガイド口金２２ａの外周面に設けられた雄ネジ部２２ｉと螺合するように構成されている。
【００２１】
また、接続口金３１ｄの外周面には、水密リング３１ｅが周設されており、接続部３１をライトガイド口金２２ａに接続させる時に、この水密リング３１ｅがライトガイド口金２２ａの接続筒２２ｊの内周面に密着している。すなわち、このバッテリ装置３の接続環３１ａを所定方向に回転させ、ライトガイド口金２２ａの雄ネジ部２２ｉと接続環３１ａの雌ネジ部を螺合させることで、内視鏡２のライトガイド口金２２ａに接続環３１ａが螺合固定され、かつ接続筒２２ｊと接続口金３１ｄが水密リング３１ｅによって密着されて、内視鏡２とバッテリ装置３が一体に組み合わされることとなる。この構成により、この連結部での水密が確保される。
【００２２】
図３は、バッテリ装置の構成を示す斜視図である、図において、バッテリ装置３は、横長の長方体形状の枠体からなるランプを収容するランプ収容部３２と、バッテリ収容装置３７およびバッテリ３４を収容するバッテリ収容空間を形成する内面３３ｅを有する縦長の長方体形状の枠体からなるバッテリ収容部３３と、バッテリ収容部３３の上部に、たとえば蝶番式で開閉自在に連結された蓋体３５とを備える。
【００２３】
ランプ収容部３２は、収容部本体３２ａと、ランプ５０を保持して収容部本体３２ａに嵌合される水密構造の水密リング３２ｂと、水密リング３２ｂに付設されるランプ接点バネ部３２ｃとを備える。収容部本体３２ａは、たとえば図示しない絶縁性の樹脂素材で一端に太径の孔からなる太孔部と、細径の孔からなり大孔部に連通する細孔部とを有して形成され、これら孔部は、外部と連通している。水密リング３２ｂは、この収容部本体３２ａの太孔部に嵌合可能に形成されている。ランプ接点バネ部３２ｃは、この収容部本体３２ａの細径部とネジなどによって嵌合可能で、かつ細孔部に挿入、保持されたランプ５０の基端電極５０ａと接続可能な接点バネから形成されている。
【００２４】
蓋体３５は、非導電部材で形成されており、閉状態で装填されたバッテリ３４と接続される導電板３５ａと、縁部に設けられた固定爪部３５ｂとを備える。この実施の形態では、バッテリ収容部３３の内面３３ｅに、バッテリ３４が矢印Ｂに示すように挿入および収納され、蓋体３５を閉めた時に、バッテリ３４が外部電極３９，４０を介して導電板３５ａに接触して直列状態で接続される。
【００２５】
また、バッテリ装置３は、蓋体３５が図示しないヒンジによって連結された上端部と対向する上端部に、ロック機構部３６を備える。このロック機構部３６は、固定爪部３５ｂに係合するロック爪部３６ａと、バッテリ収容部３３に対して回動するとともに、この回動に対応してロック爪部３６ａを回動可能に支持する開放レバー３６ｂとから形成されている。このため、このロック爪部３６ａは、開放レバー３６ｂの動作に連動して固定爪部３５ｂに対して固定した状態または開放した状態をとることが可能となる。つまり、蓋体３５は、固定爪部３５ｂに係合する、いわゆるバックル式のロック機構によってバッテリ収容部３３に一体固定されている。
【００２６】
バッテリ収容部３３の内部には、バッテリ収容部３３の底部に配設され、導電板３５ａと接続される電源回路とを備える。外部電極３９，４０は、バッテリ３４の電力を電源回路に供給している。電源回路には、バッテリ３４の電圧を、ランプ５０の定格電圧、たとえば４．８Ｖに変換する図示しない変圧回路が設けられている。
【００２７】
バッテリ収容装置３７は、図４に示すように、長手方向の一端に正極と負極が設けられた長方体の箱形形状から形成させるバッテリ３４と、このバッテリ３４を収容する滅菌の内装手段としてのピールパック（滅菌パック）３８とを備える。このピールパック３８は、収納されたバッテリ３４を、ピールパック内部にガイドする略Ｌ字形状のガイド板３８ａと、外部からガイド板３８ａの折り曲げ部３８ａ１に接続された外部電極３９，４０とを備える。この外部電極３９，４０は、内装手段の内部と外部とを電気的に導通する導通手段であり、たとえば銅や導電性ゴムなどの導電性素材で構成されるのが好ましい。バッテリ３４は、このガイド板３８ａによってバッテリ３４の電極を正しく外部電極３９，４０に接続することが可能となる。そして、内部に収容したバッテリ３４は、電極を外部電極３９，４０に接触するように、折り曲げ部３８ａ１に当接された状態で、ピールパック３８のバッテリ挿入口３８ｂを、たとえば加熱接着などによってシール（図４中の点線部分）して、バッテリ３４が収納されたピールパック３８内を密閉する。バッテリ装置３のバッテリ収容部３３内に装填する場合には、図３に示すように、外部電極３９，４０を上側にして挿入し、蓋体３５を閉塞し、ロック機構部３６によってロックをかけることによって、ピールパック３８の外部電極３９，４０と導電板３５ａが接触して、ランプ５０とバッテリ３４間に電源供給経路が形成される。
【００２８】
次に、バッテリ３４を充電する場合を図５に示す実施の形態１の斜視図に基づいて説明する。図５において、バッテリ３４を充電器５１で充電する場合には、バッテリ３４をピールパック３８でパックした状態で、専用の充電器に取り付ける。この場合には、外部電極３９，４０を充電器５１の充電用電極５２，５３に接触させてセットし、たとえば商用電源を供給することで、ピールパック３８の外からピールパック３８内のバッテリ３４の充電が可能となる。
【００２９】
このような構成により、この実施の形態では、外部電極を有する滅菌済みのピールパック内に、未滅菌のバッテリを収容し、外部電極とバッテリの電極を接触させてシールすることで、滅菌したバッテリ装置に未滅菌のバッテリを装填する際やバッテリを清潔域で充電する際に、滅菌済みの装置を汚染させることなく、バッテリ装置にバッテリを容易に装填、またはバッテリを容易に充電することができる。また、この実施の形態では、ピールパックしたままの状態で、バッテリの使用および充電ができるので、作業の効率化を図ることができる。
【００３０】
なお、バッテリをバッテリ装置に装填して使用する場合には、本発明は実施の形態に限らず、たとえばピールパックを破いて、バッテリのみをバッテリ装置のバッテリ収容部内に装填して使用することも可能である。
【００３１】
（実施の形態２）
図６は、本発明にかかるバッテリ収容装置の構成の第２例を示す斜視図である。図６において、図５の実施の形態１と異なる点は、機能実行手段であるランプ５０に使用するバッテリ３４を清潔域の作業者（医者など）が扱えるように、バッテリ３４を滅菌し、その後に滅菌したバッテリ３４を充電する際に、バッテリ３４の滅菌状態を確保できるように構成した点である。
【００３２】
この実施の形態では、たとえば複数のバッテリ３４を収納する収納部５６と、収納部５６に収納されたバッテリと接触し、専用充電器６０と電気的に接続可能な接点５７とを備えるバッテリ収容装置としての滅菌済みの滅菌ケース５５を用いて、バッテリ３４の充電を行うものである。また、滅菌ケース５５は、滅菌ケース５５内部を外部の菌体から遮断するとともに、開閉自在に設けられた蓋体５８と、この蓋体５８に内設され、滅菌ケース５５内部の菌体や塵埃を捕集するバイオフィルタ５９とを備える。
【００３３】
そして、バッテリ３４の充電を行う場合には、蓋体５８を開状態にして、各収納部５６にバッテリ３４を収納させた後に、蓋体５８を閉じ、専用充電器６０の接点６１と、滅菌ケース５５の接点５７が互いに接触するように、滅菌ケースを専用充電器６０上にセットする。これにより、滅菌状態が保たれたままでバッテリ３４が専用充電器６０と電気的に接続され、専用充電器６０から各バッテリ３４に必要な電流が供給されることとなり、バッテリ３４が満充電状態となることが可能となる。
【００３４】
このような構成により、この実施の形態では、滅菌された滅菌ケースに清潔域のバッテリを収納した後に、専用充電器によってバッテリの充電を行うので、滅菌済みのバッテリを汚染させることなく、滅菌状態を確保したままでバッテリを容易に充電することができる。
【００３５】
（実施の形態３）
図７は、本発明にかかるバッテリ収容装置の構成の第３例を示す構成図であり、図８は、図７に示したバッテリ収容装置を収容するためのバッテリ装置の構成を示す構成図であり、図９は、図８に示したバッテリ装置のＣ−Ｃ部分断面を示す断面図である。７図において、バッテリ収容装置３７は、未滅菌のバッテリ３４を囲繞する滅菌済みシート６２を備える。このシート６２のバッテリ挿入口は、実施の形態１と同様に、たとえば予め加熱接着などによってシールしてバッテリ３４が収納されたシート６２内を密閉しておき、清潔域の作業者がバッテリ３４の取り扱いを可能な状態にする。
【００３６】
また、バッテリ装置３は、図８、図９に示すように、円筒形状の枠体からなり、ランプ５０を収容するランプ収容部３２と、このランプ収容部３２と同一の中心軸上に設けられた円筒形状の枠体からなり、バッテリ３４を収容するバッテリ収容部３３とを備える。バッテリ収容部３３は、ランプ収容部３２側の一端に、装填されたバッテリ３４のたとえば正極およびランプ収容部３２内のランプ５０の基端電極５０ａとがそれぞれ接触する接点部６４を有している。この接点部６４のバッテリ３４との接触面は、先端が鋭角をなす複数の突起６４ａが形成されている。また、バッテリ収容部３３の他端は、バッテリ３４の挿入が可能なように開口するとともに、蓋体６３が着脱可能に螺合している。
【００３７】
この蓋体６３は、全体が円筒形状で、かつ図９に示すように、断面がコ字状に形成されている。この蓋体６３は、接点部を構成し、バッテリ収容部３３内のバッテリ３４のたとえば負極と接触しており、この蓋体６３および接点部６４を介してバッテリ３４とランプ５０は電気的に接続されている。
【００３８】
また、この接触面には、先端が鋭角をなす複数の突起６３ａが形成されている。したがって、バッテリ３４をバッテリ収容部３３に装填し、蓋体６３をバッテリ収容部３３に螺合させていくと、蓋体６３と接点部６４に形成された突起６３ａ，６４ａは、蓋体６３がバッテリ３４の負極と正極に接触し、その間に介在するシート６２を切り裂いて導通し、ランプ５０を点灯することが可能となる。
【００３９】
このような構成により、この実施の形態では、清潔域のバッテリ収容装置であるシートに収容された未滅菌のバッテリをバッテリ装置に装填し、バッテリ収容装置であるシートを、突起によって切り裂いて、バッテリとランプを導通させることができるので、滅菌したバッテリ装置に未滅菌のバッテリを装填する際に、滅菌済みの装置を汚染させることなく、バッテリ装置にバッテリを容易に装填することができる。
【００４０】
（実施の形態４）
図１０は、本発明にかかるバッテリ収容装置の構成の第４例を示す構成図である。図８において、このバッテリ収容装置３７は、バッテリ３４を内部に収容可能な袋形状のシート６６を備えており、このシート６６は、少なくとも底面６６ｂを含む長手方向にミシン目６６ａが形成されている。
【００４１】
次に、バッテリ装置３にバッテリ３４を装填する場合を、図１１〜図１４の図面に基づいて説明する。図１１〜図１４は、図１に示したバッテリ装置３のＡ−Ａ断面を示す断面図である。まず、図１１において、清潔域の作業者がロック機構部３６のロックを解除して、蓋体３５を開状態する。そして、滅菌済みのシート６６を、バッテリ装置３のバッテリ収容部３３内に挿入する。なお、袋形状のシート６６の長さは、バッテリ収容部３３の長さよりも十分に長く構成されているので、シート６６は、図１１に示す挿入の際に、バッテリ収容部３３内から外部に露出して、導電板３５ａを含む蓋体３５およびロック機構部３６を上方から覆うことができる。そして、図１２に示すように、バッテリ３４をバッテリ収容部３３内に収容するが、この際にバッテリ３４は、バッテリ装置３に直接接触することなく、シート６６を介してバッテリ収容部３３内に収容される。
【００４２】
バッテリ収容部３３内にバッテリ３４が収容されると、次に図１３に示すように、シート６６をミシン目に沿って切り裂き、このシート６６をバッテリ収容部３３から取り出して、バッテリ３４のみをバッテリ収容部３３内に残す。そして、図１４に示すように、蓋体３５を閉じて、ロック機構部３６によってロックをかけることで、バッテリ３４がバッテリ装置３内に装填される。装填されたバッテリ３４は、バッテリ収容部３３の内面３３ｅの接続端子３３ｂと接触して、電源回路３３ｃと電気的に接続され、バッテリ３４の電力を電源回路３３ｃに供給している。電源回路３３ｃには、バッテリ３４の電圧を、ランプ５０の定格電圧、たとえば４．８Ｖに変換する図示しない変圧回路が設けられており、変圧回路は、昇圧した定格電圧をランプ５０に供給している。
【００４３】
このような構成により、この実施の形態では、袋形状のシートを介してバッテリをバッテリ装置内に装填することができ、その後にシートのみを切り裂いて取り出すことができるので、滅菌したバッテリ装置に未滅菌のバッテリを装填する際に、滅菌済みの装置を汚染させることなく、バッテリ装置にバッテリを容易に装填することができる。
【００４４】
なお、この実施の形態では、シート６６の底面６６ｂを含む長手方向にミシン目６６ａを形成したが、本発明はこれに限らず、ミシン目の代わりにたとえば薄肉部を設けて切り裂きを容易にすることも可能である。
【００４５】
（実施の形態５）
図１５は、本発明にかかるバッテリ収容装置の構成の第５例を示す構成図である。図１５において、このバッテリ収容装置は、絶縁性の両端開口の円筒形状に形成された、滅菌済みの外装カバー６７を備え、この外装カバー６７は、バッテリ３４を内部に収容することが可能なように構成されている。この外装カバー６７は、バッテリ３４の外周面上に設けられ、該バッテリ３４を内部に収納する円筒形状の第１のカバー６７ａと、この第１のカバー６７ａの一端に設けられ、摺動可能に構成された円筒形状の第２のカバー６７ｂとを備える。すなわち、図１６に示すように、第２のカバー６７ｂは、内径が第１のカバー６７ａの内径よりも大きく、かつ外径が第１のカバー６７ａの外径よりも小さく形成されている。この第２のカバー６７ｂは、第１のカバー６７ａの先端に設けられた円筒形状の溝６７ｄ内に収納されて、同じく溝６７ｄに内設されたバネ６７ｃの付勢力によって、溝６７ｄ内から外部に突出可能に保持されている。
【００４６】
このような構成の外装カバー６７に対して、バッテリ３４の負極３４ｂが第１のカバー６７ａの端部から若干窪んだ位置に設けられ、正極３４ａが第１のカバー６７ａの端部から突出し、かつこの正極３４ａがバネ６７ｃの付勢力によって外部に突出した第２のカバー６７ｂ内に納まるように、バッテリ３４を外装カバー６７に内装する。なお、外部から第２のカバー６７ｂに加わる力がバネ６７ｃの付勢力より強い場合には、第２のカバー６７ｂは、溝６７ｄを摺動して溝６７ｄ内に移動して、バッテリ３４の正極３４ａを外部に突出させることが可能となる。
【００４７】
次に、外装カバー６７をバッテリ装置３に収容する場合について説明する。バッテリ３４が収容された外装カバー６７を、たとえば図１１に示したバッテリ装置３のバッテリ収容部３３に収容して、蓋体３５を閉じてロック機構部３６によってロックをかけると、第２のカバー６７ｂがその時の押圧力によって溝６７ｄ内に移動し、バッテリ３４の電極３４ａ，３４ｂが接続端子３３ｂと導電板３５ａに接触して、バッテリ３４とランプ５０を導通させる。
【００４８】
このような構成により、この実施の形態では、未滅菌のバッテリが露出しないように、滅菌済みの外装カバーで覆い、装填時に第２のカバーを摺動させて、バッテリの電極と蓋体の導電板とを接触させて、バッテリとランプを導通させるので、滅菌したバッテリ装置に未滅菌のバッテリを装填する際に、滅菌済みの装置を汚染させることなく、バッテリ装置にバッテリを容易に装填することができる。
【図面の簡単な説明】
【００４９】
【図１】本発明にかかるバッテリ装置を用いる携帯型内視鏡装置の構成の一例を示す斜視図である。
【図２】図１に示した操作部とバッテリ装置の接続部の外観を説明するための図である。
【図３】図１に示したバッテリ装置の実施の形態１の全体構成を示す斜視図である。
【図４】本発明にかかるバッテリ収容装置の構成の第１例を示す斜視図である。
【図５】バッテリを充電する場合を説明するための実施の形態１の斜視図を示す。
【図６】本発明にかかるバッテリ収容装置の構成の第２例を示す斜視図である。
【図７】同じく、本発明にかかるバッテリ収容装置の構成の第３例を示す構成図である。
【図８】図７に示したバッテリ収容装置を収容するためのバッテリ装置の構成を示す構成図である。
【図９】図８に示したバッテリ装置のＣ−Ｃ部分断面を示す断面図である。
【図１０】本発明にかかるバッテリ収容装置の構成の第４例を示す構成図である。
【図１１】図１に示したバッテリ装置のＡ−Ａ断面を示す断面図である。
【図１２】同じく、図１に示したバッテリ装置のＡ−Ａ断面を示す断面図である。
【図１３】同じく、図１に示したバッテリ装置のＡ−Ａ断面を示す断面図である。
【図１４】同じく、図１に示したバッテリ装置のＡ−Ａ断面を示す断面図である。
【図１５】本発明にかかるバッテリ収容装置の構成の第５例を示す構成図である。
【図１６】図１５に示したバッテリ収容装置のＤ−Ｄ断面を示す断面図である。
【符号の説明】
【００５０】
１  内視鏡装置
２  内視鏡
３  バッテリ装置
２１  接眼部
２２  操作部
２２ａ  ライトガイド口金
２２ｂ  湾曲操作レバー
２２ｃ  吸引ボタン
２２ｄ  吸引口金
２２ｅ  把持部
２２ｆ  鉗子挿入口
２２ｇ  鉗子栓
２２ｈ  通気口金
２２ｉ  雄ネジ部
２２ｊ  接続筒
２３  挿入部
２３ａ  先端部
２３ｂ  湾曲部
２３ｃ  可撓管
２３ｄ  照明窓
３１  接続部
３１ａ  接続環
３１ｂ  雌ネジ部
３１ｃ  ネジカバー
３１ｄ  接続口金
３１ｅ  水密リング
３２  ランプ収容部
３２ａ  収容部本体
３２ｂ  水密リング
３２ｃ  ランプ接点バネ部
３３  バッテリ収容部
３３ｂ  接続端子
３３ｃ  電源回路
３３ｅ  内面
３４  バッテリ
３４ａ  正極
３４ｂ  負極
３５  蓋体
３５ａ  導電板
３５ｂ  固定爪部
３６  ロック機構部
３６ａ  ロック爪部
３６ｂ  開放レバー
３７  バッテリ収容装置
３７ａ  バッテリ挿入口
３８  ピールパック
３８ａ  ガイド板
３８ａ１  折り曲げ部
３９，４０  外部電極
５０  ランプ
５０ａ  基端電極
５１  充電器
５２，５３  充電用電極
５５  滅菌ケース
５６  収納部
５７，６１  接点
５８，６３  蓋体
５９  バイオフィルタ
６０  専用充電器
６２，６６  シート
６３ａ，６４ａ  突起
６４      接点部
６６ａ  ミシン目
６６ｂ  底面
６７  外装カバー
６７ａ  第１のカバー
６７ｂ  第２のカバー
６７ｃ  バネ
６７ｄ  溝
【図１】
2006110192.tif 000003
【図２】
2006110192.tif 000004
【図３】
2006110192.tif 000005
【図４】
2006110192.tif 000006
【図５】
2006110192.tif 000007
【図６】
2006110192.tif 000008
【図７】
2006110192.tif 000009
【図８】
2006110192.tif 000010
【図９】
2006110192.tif 000011
【図１０】
2006110192.tif 000012
【図１１】
2006110192.tif 000013
【図１２】
2006110192.tif 000014
【図１３】
2006110192.tif 000015
【図１４】
2006110192.tif 000016
【図１５】
2006110192.tif 000017
【図１６】
2006110192.tif 000018